(57)【要約】【課題】釣銭準備金作成時に収納繰出部の貨幣が不足した場合でも、収納カセットを装着するだけで貨幣の補充が可能となり、よって回収カセットから貨幣を取り出す等の作業を無くすことができ、このことにより作業者の手間と補充時間を低減することができる貨幣処理機、貨幣処理システムおよび貨幣処理方法を提供する。【解決手段】貨幣処理機（例えば、貨幣入出金機３０）は、貨幣（例えば、紙幣）の収納および収納されている貨幣の繰り出しを行う収納カセット４０が着脱自在に装着されるカセット装着部３２ｃと、貨幣を収納するとともに収納されている貨幣を繰出可能な収納繰出部３２ａと、収納繰出部３２ａにおける貨幣の収納状態に応じて、カセット装着部３２ｃに装着されている空状態の収納カセット４０に収納繰出部３２ａから貨幣を送る制御を行う制御部３８とを備えている。【選択図】図１
2019008463.tif 000002
【特許請求の範囲】
【請求項１】
貨幣の収納および収納されている貨幣の繰り出しを行う収納カセットが着脱自在に装着されるカセット装着部と、
貨幣を収納するとともに収納されている貨幣を繰出可能な収納繰出部と、
前記収納繰出部における貨幣の収納状態に応じて、前記カセット装着部に装着されている空状態の前記収納カセットに前記収納繰出部から貨幣を送る制御を行う制御部と、
を備えた、貨幣処理機。
【請求項２】
前記収納繰出部における貨幣の収納状態に応じて、前記カセット装着部に装着されている前記収納カセットの用途を決める用途決定手段を更に備えた、請求項１記載の貨幣処理機。
【請求項３】
前記用途決定手段は、前記収納繰出部に貨幣をこれ以上収納することができない場合に、前記カセット装着部に装着されている前記収納カセットの用途を収納用とする、請求項２記載の貨幣処理機。
【請求項４】
前記用途決定手段は、前記カセット装着部に前記収納カセットが装着されたときに当該収納カセットに貨幣が収納されていなかったときにおいてのみ、前記カセット装着部に装着されている前記収納カセットの用途を収納用とすることができるようになっている、請求項２または３記載の貨幣処理機。
【請求項５】
前記収納カセットには記憶媒体が設けられており、
前記カセット装着部に装着されている前記収納カセットに設けられている前記記憶媒体に情報を書き込む書込部を更に備え、
前記用途決定手段により決定された前記収納カセットの用途に係る情報が前記書込部により前記収納カセットに設けられている前記記憶媒体に書き込まれるようになっている、請求項２乃至４のいずれか一項に記載の貨幣処理機。
【請求項６】
前記カセット装着部に装着されている前記収納カセットに設けられている前記記憶媒体から情報を読み取る読取部を更に備えた、請求項５記載の貨幣処理機。
【請求項７】
前記カセット装着部に前記収納カセットが装着されたときに当該収納カセットに設けられている前記記憶媒体から前記読取部により読み取られた前記収納カセットの用途が収納用であったときには、前記カセット装着部に装着された前記収納カセットに貨幣が収納されていない場合には前記収納繰出部から前記収納カセットに貨幣が送られ、前記カセット装着部に装着された前記収納カセットに貨幣が収納されている場合には前記収納カセットから前記収納繰出部に貨幣が送られる、請求項６記載の貨幣処理機。
【請求項８】
前記カセット装着部に前記収納カセットが装着されたときに当該収納カセットに設けられている前記記憶媒体から前記読取部により読み取られた前記収納カセットの用途が回収用であったときには、前記カセット装着部に装着された前記収納カセットから前記収納繰出部に貨幣が送られる、請求項６記載の貨幣処理機。
【請求項９】
前記カセット装着部に前記収納カセットが装着されたときに当該収納カセットに設けられている前記記憶媒体から前記読取部により読み取られた前記収納カセットの用途が補充用であったときには、前記収納繰出部から前記カセット装着部に装着された前記収納カセットに貨幣が送られる、請求項６記載の貨幣処理機。
【請求項１０】
前記カセット装着部に装着されている前記収納カセットに設けられている前記記憶媒体に当該収納カセットの用途が収納用である旨の情報が前記書込部により書き込まれる場合、前記貨幣処理機とは別に設けられた貨幣釣銭機に補充されるべき釣銭準備金としての貨幣に係る情報も前記書込部により前記記憶媒体に書き込まれる、請求項５乃至９のいずれか一項に記載の貨幣処理機。
【請求項１１】
前記収納カセットには当該収納カセットの識別情報を示す識別用媒体が設けられており、
前記カセット装着部に装着されている前記収納カセットに設けられている前記識別用媒体から前記収納カセットの識別情報を読み取る識別情報読取部と、
記憶部と、
を更に備え、
前記用途決定手段により決定された前記収納カセットの用途に係る情報が前記識別情報読取部により読み取られた前記収納カセットの識別情報に関連付けられて前記記憶部に記憶されるようになっている、請求項２乃至４のいずれか一項に記載の貨幣処理機。
【請求項１２】
前記記憶部に記憶されている前記収納カセットの識別情報毎の用途に基づいて、前記カセット装着部に前記収納カセットが装着されたときに当該収納カセットに設けられている前記識別用媒体から前記識別情報読取部により読み取られた前記収納カセットの識別情報に対応する前記収納カセットの用途が収納用であったときには、前記カセット装着部に装着された前記収納カセットに貨幣が収納されていない場合には前記収納繰出部から前記収納カセットに貨幣が送られ、前記カセット装着部に装着された前記収納カセットに貨幣が収納されている場合には前記収納カセットから前記収納繰出部に貨幣が送られる、請求項１１記載の貨幣処理機。
【請求項１３】
売上金としての貨幣の入金処理および釣銭としての貨幣の出金処理を行う貨幣釣銭機と、
前記貨幣釣銭機から回収された貨幣の入金処理および前記貨幣釣銭機に補充されるべき釣銭準備金としての貨幣の出金処理を行う貨幣処理機と、
を備え、
貨幣の収納および収納されている貨幣の繰り出しを行う収納カセットが前記貨幣釣銭機および前記貨幣処理機にそれぞれ着脱自在に装着されるようになっており、
前記貨幣処理機には、貨幣を収納するとともに収納されている貨幣を繰出可能な収納繰出部が設けられており、
前記貨幣処理機の前記収納繰出部における貨幣の収納状態に応じて、前記貨幣処理機に装着されている空状態の前記収納カセットに前記収納繰出部から貨幣を送る制御を行う制御部が設けられている、貨幣処理システム。
【請求項１４】
前記貨幣処理機の前記収納繰出部における貨幣の収納状態に応じて、前記貨幣処理機に装着されている前記収納カセットの用途を決める用途決定手段が設けられている、請求項１３記載の貨幣処理システム。
【請求項１５】
前記収納カセットには記憶媒体が設けられており、
前記貨幣処理機には、前記貨幣処理機に装着されている前記収納カセットに設けられている前記記憶媒体に情報を書き込む書込部が設けられており、
前記用途決定手段により決定された前記収納カセットの用途に係る情報が前記書込部により前記収納カセットに設けられている前記記憶媒体に書き込まれるようになっている、請求項１４記載の貨幣処理システム。
【請求項１６】
前記収納カセットには当該収納カセットの識別情報を示す識別用媒体が設けられており、
前記貨幣処理機には、前記貨幣処理機に装着されている前記収納カセットに設けられている前記識別用媒体から前記収納カセットの識別情報を読み取る識別情報読取部が設けられており、
前記用途決定手段により決定された前記収納カセットの用途に係る情報を、前記識別情報読取部により読み取られた前記収納カセットの識別情報に関連付けて記憶する記憶部が設けられている、請求項１４記載の貨幣処理システム。
【請求項１７】
貨幣の収納および収納されている貨幣の繰り出しを行う収納カセットが着脱自在に装着されるカセット装着部、および貨幣を収納するとともに収納されている貨幣を繰出可能な収納繰出部を有する貨幣処理機による貨幣処理方法であって、
前記カセット装着部に前記収納カセットを装着する工程と、
前記収納繰出部における貨幣の収納状態に応じて、前記カセット装着部に装着されている空状態の前記収納カセットに前記収納繰出部から貨幣を送る工程と、
を備えた、貨幣処理方法。
【請求項１８】
前記収納繰出部における貨幣の収納状態に応じて、前記カセット装着部に装着されている前記収納カセットの用途を決める工程を更に備えた、請求項１７記載の貨幣処理方法。
【請求項１９】
前記収納カセットには記憶媒体が設けられており、
決定された前記収納カセットの用途に係る情報を前記収納カセットに設けられている前記記憶媒体に書き込む工程を更に備えた、請求項１８記載の貨幣処理方法。
【請求項２０】
前記収納カセットには当該収納カセットの識別情報を示す識別用媒体が設けられており、
前記カセット装着部に装着されている前記収納カセットに設けられている前記識別用媒体から前記収納カセットの識別情報を読み取る工程と、
決定された前記収納カセットの用途に係る情報を、読み取られた前記収納カセットの識別情報に関連付けて記憶部に記憶させる工程と、
を更に備えた、請求項１８記載の貨幣処理方法。
【発明の詳細な説明】
【技術分野】
【０００１】
本発明は、紙幣や硬貨等の貨幣の処理を行う貨幣処理機、このような貨幣処理機を備えた貨幣処理システムおよびこのような貨幣処理機による貨幣処理方法に関する。
【背景技術】
【０００２】
スーパーマーケットやコンビニエンスストア等の商業施設の店舗において、商品棚が設置されるフロント領域の精算所には貨幣釣銭機がＰＯＳレジスタとともに設置され、また、顧客が立ち入ることができないバックヤード領域には出納機等の貨幣入出金機が設置されるようになっている。ここで、フロント領域の精算所に設置される貨幣釣銭機は、商品と引き換えに顧客から店員に手渡された売上金としての貨幣の入金処理を行うとともに、釣銭としての貨幣の出金処理を行うことができるようになっている。また、バックヤード領域に設置される出納機等の貨幣入出金機は、貨幣釣銭機から回収された売上金としての貨幣の入金処理を行うとともに、貨幣釣銭機に補充されるべき釣銭準備金としての貨幣の出金処理を行うようになっている。このような貨幣釣銭機および貨幣入出金機を組み合わせた貨幣処理システムとして、例えば特許文献１等に開示されるものが従来から知られている。
【０００３】
特許文献１等に開示される従来の貨幣処理システムにおいて、紙幣を収納するとともに収納されている紙幣の繰り出しを行うことができる収納カセットにより貨幣釣銭機と貨幣入出金機との間で紙幣の受け渡しが行われるようになっている。より詳細には、収納カセットは貨幣釣銭機および貨幣入出金機にそれぞれ着脱自在に装着されるようになっており、収納カセットが貨幣釣銭機または貨幣入出金機に装着された場合においてのみ当該収納カセットから紙幣を繰り出すことができるようになっている。このことにより、貨幣釣銭機と貨幣入出金機との間で紙幣の受け渡しを行う際に悪意ある操作者により紙幣の一部が抜き取られてしまうことを防止することができるようになり、よって紙幣処理システムの防盗性を向上させることができるようになる。このような貨幣処理システムでは、貨幣釣銭機から売上金としての紙幣を回収して貨幣入出金機に入金させる際に、まず貨幣釣銭機に空状態の収納カセットを装着して貨幣釣銭機の内部にある紙幣を収納カセットに送るようにし、その後、貨幣釣銭機から収納カセットを取り出して当該収納カセットを貨幣入出金機に運搬する。その後、貨幣入出金機に収納カセットを装着することにより収納カセットから紙幣が繰り出されて当該貨幣入出金機の内部に収納される。一方、貨幣入出金機から釣銭準備金としての紙幣を出金して貨幣釣銭機に補充させる際に、まず貨幣入出金機に空状態の収納カセットを装着して貨幣入出金機の内部にある紙幣の一部を収納カセットに送るようにし、その後、貨幣入出金機から収納カセットを取り出して当該収納カセットを貨幣釣銭機に運搬する。その後、貨幣釣銭機に収納カセットを装着することにより収納カセットから紙幣が繰り出されて当該貨幣釣銭機の内部にこの紙幣が収納される。
【先行技術文献】
【特許文献】
【０００４】
【特許文献１】特開２０１５−２０７３１１号公報
【発明の概要】
【発明が解決しようとする課題】
【０００５】
特許文献１等に開示されるような、貨幣釣銭機および貨幣入出金機から構成される貨幣処理システムにおいて、複数の貨幣釣銭機から貨幣を全て回収して貨幣入出金機に入金するような全回収処理が定期的に行われる場合がある。このような全回収処理を行っている途中で、貨幣入出金機に設けられている収納部がフル状態となってしまいこの収納部に貨幣をこれ以上収納させることができなくなった場合には、貨幣釣銭機から回収された貨幣を貨幣入出金機に入金させる処理を中断し、フル状態となった収納部から貨幣を回収しなければならない。しかしながら、全回収処理後に複数の貨幣釣銭機への釣銭準備金の補充処理を行う場合に、収納部の容量を超える釣銭準備金が必要なときには、回収カセットに回収された貨幣を手で取り出し、貨幣処理装置への補充処理を行わなければならず、作業者の手間と補充処理の時間がかかってしまう。
【０００６】
本発明は、このような点を考慮してなされたものであり、収納繰出部における貨幣の収納状態に応じて、カセット装着部に装着されている空状態の収納カセットに収納繰出部から貨幣を送ることにより、釣銭準備金作成時に収納繰出部の貨幣が不足した場合でも、収納カセットを装着するだけで貨幣の補充が可能となり、よって回収カセットから貨幣を取り出す等の作業を無くすことができ、このことにより作業者の手間と補充時間を低減することができる貨幣処理機、貨幣処理システムおよび貨幣処理方法を提供することを目的とする。
【課題を解決するための手段】
【０００７】
本発明の貨幣処理機は、貨幣の収納および収納されている貨幣の繰り出しを行う収納カセットが着脱自在に装着されるカセット装着部と、貨幣を収納するとともに収納されている貨幣を繰出可能な収納繰出部と、前記収納繰出部における貨幣の収納状態に応じて、前記カセット装着部に装着されている空状態の前記収納カセットに前記収納繰出部から貨幣を送る制御を行う制御部と、を備えたことを特徴とする。
【０００８】
このような貨幣処理機によれば、収納繰出部における貨幣の収納状態に応じて、カセット装着部に装着されている空状態の収納カセットに収納繰出部から貨幣を送ることにより、釣銭準備金作成時に収納繰出部の貨幣が不足した場合でも、収納カセットを装着するだけで貨幣の補充が可能となり、よって回収カセットから貨幣を取り出す等の作業を無くすことができ、このことにより作業者の手間と補充時間を低減することができる。
【０００９】
本発明の貨幣処理機は、前記収納繰出部における貨幣の収納状態に応じて、前記カセット装着部に装着されている前記収納カセットの用途を決める用途決定手段を更に備えていてもよい。
【００１０】
この場合、前記用途決定手段は、前記収納繰出部に貨幣をこれ以上収納することができない場合に、前記カセット装着部に装着されている前記収納カセットの用途を収納用とするようになっていてもよい。
【００１１】
また、前記用途決定手段は、前記カセット装着部に前記収納カセットが装着されたときに当該収納カセットに貨幣が収納されていなかったときにおいてのみ、前記カセット装着部に装着されている前記収納カセットの用途を収納用とすることができるようになっていてもよい。
【００１２】
本発明の貨幣処理機においては、前記収納カセットには記憶媒体が設けられており、前記カセット装着部に装着されている前記収納カセットに設けられている前記記憶媒体に情報を書き込む書込部を更に備え、前記用途決定手段により決定された前記収納カセットの用途に係る情報が前記書込部により前記収納カセットに設けられている前記記憶媒体に書き込まれるようになっていてもよい。
【００１３】
この場合、本発明の貨幣処理機は、前記カセット装着部に装着されている前記収納カセットに設けられている前記記憶媒体から情報を読み取る読取部を更に備えていてもよい。
【００１４】
また、前記カセット装着部に前記収納カセットが装着されたときに当該収納カセットに設けられている前記記憶媒体から前記読取部により読み取られた前記収納カセットの用途が収納用であったときには、前記カセット装着部に装着された前記収納カセットに貨幣が収納されていない場合には前記収納繰出部から前記収納カセットに貨幣が送られ、前記カセット装着部に装着された前記収納カセットに貨幣が収納されている場合には前記収納カセットから前記収納繰出部に貨幣が送られるようになっていてもよい。
【００１５】
また、前記カセット装着部に前記収納カセットが装着されたときに当該収納カセットに設けられている前記記憶媒体から前記読取部により読み取られた前記収納カセットの用途が回収用であったときには、前記カセット装着部に装着された前記収納カセットから前記収納繰出部に貨幣が送られるようになっていてもよい。
【００１６】
また、前記カセット装着部に前記収納カセットが装着されたときに当該収納カセットに設けられている前記記憶媒体から前記読取部により読み取られた前記収納カセットの用途が補充用であったときには、前記収納繰出部から前記カセット装着部に装着された前記収納カセットに貨幣が送られるようになっていてもよい。
【００１７】
また、前記カセット装着部に装着されている前記収納カセットに設けられている前記記憶媒体に当該収納カセットの用途が収納用である旨の情報が前記書込部により書き込まれる場合、前記貨幣処理機とは別に設けられた貨幣釣銭機に補充されるべき釣銭準備金としての貨幣に係る情報も前記書込部により前記記憶媒体に書き込まれるようになっていてもよい。
【００１８】
本発明の貨幣処理機においては、前記収納カセットには当該収納カセットの識別情報を示す識別用媒体が設けられており、前記カセット装着部に装着されている前記収納カセットに設けられている前記識別用媒体から前記収納カセットの識別情報を読み取る識別情報読取部と、記憶部と、を更に備え、前記用途決定手段により決定された前記収納カセットの用途に係る情報が前記識別情報読取部により読み取られた前記収納カセットの識別情報に関連付けられて前記記憶部に記憶されるようになっていてもよい。
【００１９】
この場合、前記記憶部に記憶されている前記収納カセットの識別情報毎の用途に基づいて、前記カセット装着部に前記収納カセットが装着されたときに当該収納カセットに設けられている前記識別用媒体から前記識別情報読取部により読み取られた前記収納カセットの識別情報に対応する前記収納カセットの用途が収納用であったときには、前記カセット装着部に装着された前記収納カセットに貨幣が収納されていない場合には前記収納繰出部から前記収納カセットに貨幣が送られ、前記カセット装着部に装着された前記収納カセットに貨幣が収納されている場合には前記収納カセットから前記収納繰出部に貨幣が送られるようになっていてもよい。
【００２０】
本発明の貨幣処理システムは、売上金としての貨幣の入金処理および釣銭としての貨幣の出金処理を行う貨幣釣銭機と、前記貨幣釣銭機から回収された貨幣の入金処理および前記貨幣釣銭機に補充されるべき釣銭準備金としての貨幣の出金処理を行う貨幣処理機と、を備え、貨幣の収納および収納されている貨幣の繰り出しを行う収納カセットが前記貨幣釣銭機および前記貨幣処理機にそれぞれ着脱自在に装着されるようになっており、前記貨幣処理機には、貨幣を収納するとともに収納されている貨幣を繰出可能な収納繰出部が設けられており、前記貨幣処理機の前記収納繰出部における貨幣の収納状態に応じて、前記貨幣処理機に装着されている空状態の前記収納カセットに前記収納繰出部から貨幣を送る制御を行う制御部が設けられていることを特徴とする。
【００２１】
このような貨幣処理システムによれば、貨幣処理機において収納繰出部における貨幣の収納状態に応じて、当該貨幣処理機に装着されている空状態の収納カセットに収納繰出部から貨幣を送ることにより、貨幣処理機において釣銭準備金作成時に収納繰出部の貨幣が不足した場合でも、収納カセットを装着するだけで貨幣の補充が可能となり、よって回収カセットから貨幣を取り出す等の作業を無くすことができ、このことにより作業者の手間と補充時間を低減することができる。
【００２２】
本発明の貨幣処理システムにおいては、前記貨幣処理機の前記収納繰出部における貨幣の収納状態に応じて、前記貨幣処理機に装着されている前記収納カセットの用途を決める用途決定手段が設けられていてもよい。
【００２３】
この場合、前記収納カセットには記憶媒体が設けられており、前記貨幣処理機には、前記貨幣処理機に装着されている前記収納カセットに設けられている前記記憶媒体に情報を書き込む書込部が設けられており、前記用途決定手段により決定された前記収納カセットの用途に係る情報が前記書込部により前記収納カセットに設けられている前記記憶媒体に書き込まれるようになっていてもよい。
【００２４】
あるいは、前記収納カセットには当該収納カセットの識別情報を示す識別用媒体が設けられており、前記貨幣処理機には、前記貨幣処理機に装着されている前記収納カセットに設けられている前記識別用媒体から前記収納カセットの識別情報を読み取る識別情報読取部が設けられており、前記用途決定手段により決定された前記収納カセットの用途に係る情報を、前記識別情報読取部により読み取られた前記収納カセットの識別情報に関連付けて記憶する記憶部が設けられていてもよい。
【００２５】
本発明の貨幣処理方法は、貨幣の収納および収納されている貨幣の繰り出しを行う収納カセットが着脱自在に装着されるカセット装着部、および貨幣を収納するとともに収納されている貨幣を繰出可能な収納繰出部を有する貨幣処理機による貨幣処理方法であって、前記カセット装着部に前記収納カセットを装着する工程と、前記収納繰出部における貨幣の収納状態に応じて、前記カセット装着部に装着されている空状態の前記収納カセットに前記収納繰出部から貨幣を送る工程と、を備えたことを特徴とする。
【００２６】
このような貨幣処理方法によれば、貨幣処理機において収納繰出部における貨幣の収納状態に応じて、当該貨幣処理機に装着されている空状態の収納カセットに収納繰出部から貨幣を送ることにより、貨幣処理機において釣銭準備金作成時に収納繰出部の貨幣が不足した場合でも、収納カセットを装着するだけで貨幣の補充が可能となり、よって回収カセットから貨幣を取り出す等の作業を無くすことができ、このことにより作業者の手間と補充時間を低減することができる。
【００２７】
本発明の貨幣処理方法は、前記収納繰出部における貨幣の収納状態に応じて、前記カセット装着部に装着されている前記収納カセットの用途を決める工程を更に備えていてもよい。
【００２８】
この場合、前記収納カセットには記憶媒体が設けられており、決定された前記収納カセットの用途に係る情報を前記収納カセットに設けられている前記記憶媒体に書き込む工程を更に備えていてもよい。
【００２９】
あるいは、本発明の貨幣処理方法においては、前記収納カセットには当該収納カセットの識別情報を示す識別用媒体が設けられており、前記カセット装着部に装着されている前記収納カセットに設けられている前記識別用媒体から前記収納カセットの識別情報を読み取る工程と、決定された前記収納カセットの用途に係る情報を、読み取られた前記収納カセットの識別情報に関連付けて記憶部に記憶させる工程と、を更に備えていてもよい。
【発明の効果】
【００３０】
本発明の貨幣処理機、貨幣処理システムおよび貨幣処理方法によれば、釣銭準備金作成時に収納繰出部の貨幣が不足した場合でも、収納カセットを装着するだけで貨幣の補充が可能となり、よって回収カセットから貨幣を取り出す等の作業を無くすことができ、このことにより作業者の手間と補充時間を低減することができる。
【図面の簡単な説明】
【００３１】
【図１】本発明の実施の形態における貨幣処理システムの構成の一例を概略的に説明するための概略構成図である。
【図２】図１に示す貨幣処理システムにおける貨幣釣銭機および貨幣釣銭機に設けられるＰＯＳレジスタの構成を示す斜視図である。
【図３】図２に示す貨幣釣銭機における制御系の構成を示す機能ブロック図である。
【図４】図１に示す貨幣処理システムにおける貨幣入出金機の構成を示す斜視図である。
【図５】図４に示す貨幣入出金機における制御系の構成を示す機能ブロック図である。
【図６】図４に示す貨幣入出金機における、カセット装着部に装着された収納カセットの用途と、収納カセットがカセット装着部に装着されたときの動作との対応関係を示す表である。
【図７】図１に示す貨幣処理システムにおいて予備の収納カセットにより各貨幣釣銭機に貨幣の補充を行うときの動作を示す図である。
【図８】本発明の実施の形態における貨幣処理システムの構成の他の例を概略的に説明するための概略構成図である。
【図９】図８に示す貨幣処理システムの貨幣釣銭機における制御系の構成を示す機能ブロック図である。
【図１０】図８に示す貨幣処理システムの貨幣入出金機における制御系の構成を示す機能ブロック図である。
【図１１】図１０に示す貨幣入出金機の記憶部に記憶される、収納カセットの識別番号と用途との対応関係を示す表である。
【発明を実施するための形態】
【００３２】
以下、図面を参照して本発明の実施の形態について説明する。図１乃至図７は、本実施の形態による貨幣処理システムおよびこのような貨幣処理システムに設けられた貨幣釣銭機および貨幣入出金機等を示す図である。
【００３３】
図１に示すように、コンビニエンスストアやスーパーマーケット等の商業施設の店舗において、顧客が立ち入ることができるフロント領域１２には様々な商品が陳列された商品棚が設置されているとともに、このフロント領域１２の精算所（具体的には、対面式レジカウンター）には貨幣釣銭機２０やＰＯＳレジスタ６０（図２参照）が設置されている。ここで、フロント領域１２に複数の精算所が設けられる場合には、各精算所にそれぞれ貨幣釣銭機２０およびＰＯＳレジスタ６０が設置されるようになる。顧客がこのような精算所で精算処理を行う際に、店員は、顧客から受け取った商品の代金としての貨幣を貨幣釣銭機２０に入金したり、釣銭としての貨幣を貨幣釣銭機２０から出金して顧客に返却したりするようになっている。また、ＰＯＳレジスタ６０により、顧客が購入した商品に係る情報や貨幣釣銭機２０に収納されている貨幣に係る情報等の管理が行われるようになっている。
【００３４】
また、このような店舗における顧客の立ち入りが禁止されたバックヤード領域１４（具体的には、例えば出納室）には貨幣入出金機３０（具体的には、例えば出納機）が設置されている。ここで、バックヤード領域１４に設置される貨幣入出金機３０は、貨幣釣銭機２０から回収された店舗の売上金としての貨幣の入金処理を行うことができるようになっている。また、貨幣釣銭機２０において釣銭としての貨幣が不足する場合には、貨幣入出金機３０から釣銭準備金としての貨幣を出金し、この貨幣入出金機３０から出金された釣銭準備金としての貨幣を貨幣釣銭機２０に補充することができるようになっている。
【００３５】
本実施の形態では、このような貨幣釣銭機２０および貨幣入出金機３０を組み合わせることにより本発明に係る貨幣処理システム１０が構成されている。また、このような貨幣処理システム１０において、紙幣を収納するとともに収納されている紙幣の繰り出しを行う収納カセット４０によって貨幣釣銭機２０と貨幣入出金機３０との間で紙幣の受け渡しが行われるようになっている。このような収納カセット４０は各貨幣釣銭機２０に対応して複数設けられている。また、複数の収納カセット４０の各々には識別番号等の識別情報が対応付けられるようになっている。具体的には、各収納カセット４０には例えば００１から順に識別番号が割り当てられるようになっている。また、複数の収納カセット４０は略同一の大きさの略直方体形状のケーシングを有しており、ケーシングの内部に紙幣が収納されるようになっている。また、収納カセット４０には、当該収納カセット４０の識別情報や収納カセット４０に収納されている紙幣に関する情報等の様々な情報を記憶するＩＣタグ等の記憶媒体４２が設けられている。また、後述するように、収納カセット４０は、貨幣釣銭機２０および貨幣入出金機３０にそれぞれ着脱自在に装着されるようになっている。また、収納カセット４０の側面には開口４０ａが設けられており、収納カセット４０が貨幣釣銭機２０や貨幣入出金機３０に装着されたときに、貨幣釣銭機２０や貨幣入出金機３０の搬送部（後述）から開口４０ａを介して収納カセット４０の内部に紙幣が送られるとともに、収納カセット４０の内部から繰り出された紙幣が開口４０ａを介して貨幣釣銭機２０や貨幣入出金機３０の搬送部に送られるようになっている。
【００３６】
以下、貨幣釣銭機２０および貨幣入出金機３０の構成の詳細について説明する。
【００３７】
まず、店舗のフロント領域１２に設けられた貨幣釣銭機２０の構成の詳細について図２および図３を用いて説明する。図２に示すように、本実施の形態による貨幣釣銭機２０は、上下に並ぶよう配置された硬貨処理装置２４および包装硬貨収納装置２６と、これらの硬貨処理装置２４や包装硬貨収納装置２６の隣に並ぶよう配置された紙幣処理装置２２とを備えており、紙幣処理装置２２や硬貨処理装置２４の上面にはＰＯＳレジスタ６０が載置されるようになっている。また、硬貨処理装置２４の上部にはタッチパネル等の操作表示部２９ａが設けられている。紙幣処理装置２２および硬貨処理装置２４は、それぞれ、紙幣や硬貨の入出金処理を行うようになっている。また、包装硬貨収納装置２６は、各金種の包装硬貨（同一金種の硬貨を一定枚数（例えば、２０枚や５０枚）だけ棒状にまとめてフィルムや包装紙等により包装したもの）を取り出し可能に収納するようになっている。また、紙幣や硬貨以外の媒体（例えば、商品券等）を包装硬貨収納装置２６に収納することができるようになっている。また、ＰＯＳレジスタ６０は、貨幣釣銭機２０の管理を行う管理装置として用いられるようになっている。
【００３８】
紙幣処理装置２２には、筐体の外部から内部に紙幣を投入するための投入部と、筐体の内部で紙幣を１枚ずつ搬送する搬送部と、搬送部により搬送される紙幣の金種、真偽、正損、搬送状態等の識別を行う識別部と、筐体の内部から外部に紙幣を払い出すための払出部とがそれぞれ設けられている。また、図３に示すように、紙幣処理装置２２には、搬送部から送られた紙幣を収納するとともに収納されている紙幣を搬送部に１枚ずつ繰り出し可能な収納繰出部２２ａが設けられている。なお、上述した投入部、搬送部、識別部、払出部等により、紙幣の処理を行う紙幣処理部２２ｂが構成されている。また、紙幣処理装置２２には、収納カセット４０が装着されるカセット装着部２２ｃが設けられている。ここで、収納カセット４０が紙幣処理装置２２のカセット装着部２２ｃに装着されているときに、紙幣処理装置２２に設けられた搬送部（図示せず）から開口４０ａを介して紙幣が収納カセット４０の内部に送られたり、収納カセット４０に収納されている紙幣が開口４０ａを介して紙幣処理装置２２の搬送部に繰り出されたりするようになっている。より詳細には、収納カセット４０の内部には、当該収納カセット４０に収納されている紙幣を開口４０ａから外部に繰り出す紙幣繰出機構が設けられている。また、収納カセット４０が紙幣処理装置２２のカセット装着部２２ｃに装着されているときに、紙幣処理装置２２側から収納カセット４０の紙幣繰出機構に動力が伝達されるようになっている。このように、収納カセット４０が紙幣処理装置２２のカセット装着部２２ｃから取り出された状態では当該収納カセット４０に収納されている紙幣を外部に繰り出させることができないため、収納カセット４０に収納されている紙幣のセキュリティ性を向上させることができる。また、紙幣処理装置２２には、カセット装着部２２ｃに装着されている収納カセット４０の記憶媒体４２から情報を読み取ったり当該記憶媒体４２に情報を書き込んだりするリーダライタ２２ｄが設けられている。
【００３９】
硬貨処理装置２４には、筐体の外部から内部に硬貨を投入するための投入部と、筐体の内部で硬貨を１枚ずつ搬送する搬送部と、搬送部により搬送される硬貨の金種、真偽、正損、搬送状態等の識別を行う識別部と、筐体の内部から外部に硬貨を払い出すための払出部とがそれぞれ設けられている。また、図３に示すように、硬貨処理装置２４には、搬送部から送られた硬貨を収納するとともに収納されている硬貨を搬送部に１枚ずつ繰り出し可能な収納繰出部２４ａが設けられている。なお、上述した投入部、搬送部、識別部、払出部等により、硬貨の処理を行う硬貨処理部２４ｂが構成されている。
【００４０】
包装硬貨収納装置２６には、筐体の内部から手前側に引出可能となっている収納ドロア（図示せず）と、収納ドロアを筐体の内部でロックするロック機構２６ａとがそれぞれ設けられている。ここで、収納ドロアには複数の包装硬貨が収納されるようになっている。また、ロック機構２６ａによる収納ドロアのロックが解除されると、操作者は収納ドロアを筐体の内部から手前側に引き出してこの収納ドロアから包装硬貨を取り出したり当該収納ドロアに包装硬貨を収納したりすることができるようになっている。また、収納ドロアには、紙幣や硬貨以外の媒体（例えば、商品券等）も収納させることができるようになっている。
【００４１】
次に、このような貨幣釣銭機２０における制御系の構成について図３を用いて説明する。図３に示すように、貨幣釣銭機２０にはＣＰＵ（中央演算処理ユニット）等の制御部２８が設けられており、紙幣処理装置２２、硬貨処理装置２４および包装硬貨収納装置２６の各構成部材がそれぞれ当該制御部２８に接続されている。このことにより、リーダライタ２２ｄにより収納カセット４０の記憶媒体４２から読み取られた情報は制御部２８に送られるようになる。また、制御部２８は紙幣処理装置２２、硬貨処理装置２４および包装硬貨収納装置２６の各構成部材に指令を送ることによりこれらの構成部材の制御を行うことができるようになっている。また、図３に示すように、制御部２８には操作表示部２９ａ、記憶部２９ｂ、通信インターフェース部２９ｃおよび印字部２９ｄがそれぞれ接続されている。操作表示部２９ａには、紙幣処理装置２２、硬貨処理装置２４および包装硬貨収納装置２６に収納されている紙幣や硬貨の在高等に関する情報や、紙幣や硬貨の処理状況に係る情報等が表示されるようになっている。また、操作者は操作表示部２９ａにより制御部２８に様々な指令を入力することができるようになっている。また、記憶部２９ｂには、紙幣処理装置２２、硬貨処理装置２４および包装硬貨収納装置２６に収納されている紙幣や硬貨の在高等に関する情報や、紙幣や硬貨の処理履歴に係る情報等が記憶されるようになっている。また、制御部２８は通信インターフェース部２９ｃによりＰＯＳレジスタ６０等の外部装置に対して信号の送受信を行うことができるようになっている。また、印字部２９ｄは、紙幣処理装置２２、硬貨処理装置２４および包装硬貨収納装置２６に収納されている紙幣や硬貨の在高等に関する情報や、紙幣や硬貨の処理履歴に係る情報等をレシートに印字するようになっている。
【００４２】
次に、店舗のバックヤード領域１４に設けられた出納機等の貨幣入出金機３０の構成の詳細について図４および図５を用いて説明する。ここで、バックヤード領域１４に設置される貨幣入出金機３０は、貨幣釣銭機２０から回収された店舗の売上金としての貨幣の入金処理を行うことができるようになっている。また、貨幣釣銭機２０において釣銭としての貨幣が不足する場合には、貨幣入出金機３０から釣銭準備金としての貨幣を出金し、この貨幣入出金機３０から出金された釣銭準備金としての貨幣を貨幣釣銭機２０に補充することができるようになっている。
【００４３】
図４に示すように、貨幣入出金機３０は、紙幣の入金処理および出金処理を行う紙幣処理装置３２、硬貨の入金処理および出金処理を行う硬貨処理装置３４、および包装硬貨を収納する包装硬貨収納装置３６を備えている。図４に示すように、紙幣処理装置３２および硬貨処理装置３４は貨幣入出金機３０を手前側から見て左右に並ぶよう配置されており、これらの紙幣処理装置３２および硬貨処理装置３４の下方に包装硬貨収納装置３６が配置されている。また、硬貨処理装置３４の上部にはタッチパネル等の操作表示部３９ａが設けられている。紙幣処理装置３２および硬貨処理装置３４は、それぞれ、紙幣や硬貨の入出金処理を行うようになっている。また、包装硬貨収納装置３６は、各金種の包装硬貨を取り出し可能に収納するようになっている。また、紙幣や硬貨以外の媒体（例えば、商品券等）を包装硬貨収納装置３６に収納することができるようになっている。
【００４４】
紙幣処理装置３２には、筐体の外部から内部に紙幣を投入するための投入部と、筐体の内部で紙幣を１枚ずつ搬送する搬送部と、搬送部により搬送される紙幣の金種、真偽、正損、搬送状態等の識別を行う識別部と、筐体の内部から外部に紙幣を払い出すための払出部とがそれぞれ設けられている。また、図５に示すように、紙幣処理装置３２には、搬送部から送られた紙幣を収納するとともに収納されている紙幣を搬送部に１枚ずつ繰り出し可能な収納繰出部３２ａが設けられている。また、紙幣処理装置３２には、搬送部から送られた紙幣を収納する回収カセット（図示せず）が設けられており、警送会社等の警備員は回収カセットに収納されている紙幣を回収カセットごと紙幣処理装置３２から回収することができるようになっている。なお、上述した投入部、搬送部、識別部、払出部等により、紙幣の処理を行う紙幣処理部３２ｂが構成されている。また、紙幣処理装置３２には、収納カセット４０が装着されるカセット装着部３２ｃが設けられている。ここで、収納カセット４０が紙幣処理装置３２のカセット装着部３２ｃに装着されているときに、紙幣処理装置３２に設けられた搬送部（図示せず）から開口４０ａを介して紙幣が収納カセット４０の内部に送られたり、収納カセット４０に収納されている紙幣が開口４０ａを介して紙幣処理装置３２の搬送部に繰り出されたりするようになっている。より詳細には、収納カセット４０が紙幣処理装置３２のカセット装着部３２ｃに装着されているときに、紙幣処理装置３２側から収納カセット４０の紙幣繰出機構に動力が伝達されるようになっている。また、紙幣処理装置３２には、カセット装着部３２ｃに装着されている収納カセット４０の記憶媒体４２から情報を読み取ったり当該記憶媒体４２に情報を書き込んだりするリーダライタ３２ｄが設けられている。
【００４５】
硬貨処理装置３４には、筐体の外部から内部に硬貨を投入するための投入部と、筐体の内部で硬貨を１枚ずつ搬送する搬送部と、搬送部により搬送される硬貨の金種、真偽、正損、搬送状態等の識別を行う識別部と、筐体の内部から外部に硬貨を払い出すための払出部とがそれぞれ設けられている。また、図５に示すように、硬貨処理装置３４には、搬送部から送られた硬貨を収納するとともに収納されている硬貨を搬送部に１枚ずつ繰り出し可能な収納繰出部３４ａが設けられている。また、硬貨処理装置３４には、搬送部から送られた硬貨を収納する回収カセット（図示せず）が設けられており、警送会社等の警備員は回収カセットに収納されている硬貨を回収カセットごと硬貨処理装置３４から回収することができるようになっている。なお、上述した投入部、搬送部、識別部、払出部等により、硬貨の処理を行う硬貨処理部３４ｂが構成されている。
【００４６】
包装硬貨収納装置３６には、筐体の内部から手前側に引出可能となっている収納ドロア（図示せず）と、収納ドロアを筐体の内部でロックするロック機構３６ａとがそれぞれ設けられている。ここで、収納ドロアには複数の包装硬貨が収納されるようになっている。また、ロック機構３６ａによる収納ドロアのロックが解除されると、操作者は収納ドロアを筐体の内部から手前側に引き出してこの収納ドロアから包装硬貨を取り出したり当該収納ドロアに包装硬貨を収納したりすることができるようになっている。また、収納ドロアには、紙幣や硬貨以外の媒体（例えば、商品券等）も収納させることができるようになっている。
【００４７】
次に、このような貨幣入出金機３０における制御系の構成について図５を用いて説明する。図５に示すように、貨幣入出金機３０にはＣＰＵ（中央演算処理ユニット）等の制御部３８が設けられており、紙幣処理装置３２、硬貨処理装置３４および包装硬貨収納装置３６の各構成部材がそれぞれ当該制御部３８に接続されている。このことにより、リーダライタ３２ｄにより収納カセット４０の記憶媒体４２から読み取られた情報は制御部３８に送られるようになる。また、制御部３８は紙幣処理装置３２、硬貨処理装置３４および包装硬貨収納装置３６の各構成部材に指令を送ることによりこれらの構成部材の制御を行うことができるようになっている。また、図５に示すように、制御部３８には操作表示部３９ａ、記憶部３９ｂ、通信インターフェース部３９ｃおよび印字部３９ｄがそれぞれ接続されている。操作表示部３９ａには、紙幣処理装置３２、硬貨処理装置３４および包装硬貨収納装置３６に収納されている紙幣や硬貨の在高等に関する情報や、紙幣や硬貨の処理状況に係る情報等が表示されるようになっている。また、操作者は操作表示部３９ａにより制御部３８に様々な指令を入力することができるようになっている。また、記憶部３９ｂには、紙幣処理装置３２、硬貨処理装置３４および包装硬貨収納装置３６に収納されている紙幣や硬貨の在高等に関する情報や、紙幣や硬貨の処理履歴に係る情報等が記憶されるようになっている。また、制御部３８は通信インターフェース部３９ｃにより上位端末等の外部装置に対して信号の送受信を行うことができるようになっている。なお、制御部３８は通信インターフェース部３９ｃにより警送会社の管理センターに設けられた管理コンピュータ等に対して信号の送受信を行うことができるようになっていてもよい。また、印字部３９ｄは、紙幣処理装置３２、硬貨処理装置３４および包装硬貨収納装置３６に収納されている紙幣や硬貨の在高等に関する情報や、紙幣や硬貨の処理履歴に係る情報等をレシートに印字するようになっている。
【００４８】
また、本実施の形態では、制御部３８は、紙幣処理装置３２の収納繰出部３２ａにおける紙幣の収納状態に応じて、カセット装着部３２ｃに装着されている空状態の収納カセット４０に収納繰出部３２ａから紙幣を送る制御を行うようになっている。このような制御部３８の機能については後述する。また、図５に示すように、紙幣処理装置３２の収納繰出部３２ａにおける紙幣の収納状態に応じて、カセット装着部３２ｃに装着されている収納カセット４０の用途を決める用途決定手段５０が制御部３８に接続されている。ここで、用途決定手段５０により決められる収納カセット４０の用途として、回収用、補充用、収納用等が挙げられる。このような用途決定手段５０の機能の詳細については後述する。
【００４９】
次に、図１乃至図５に示す貨幣処理システム１０において、図１において参照符合（ａ）で示すような貨幣釣銭機２０から売上金としての貨幣を回収して貨幣入出金機３０に収納させる動作（以下、回収処理ともいう）や、図１において参照符合（ｂ）で示すような貨幣入出金機３０から釣銭準備金としての貨幣を出金して貨幣釣銭機２０に補充する動作（以下、補充処理ともいう）について以下に説明する。
【００５０】
まず、貨幣処理システム１０において回収処理が行われる際の動作（すなわち、図１において参照符合（ａ）で示す動作）について説明する。店舗の営業時間が終了すると、精算所で商品の精算業務を行っていたレジ担当者は貨幣釣銭機２０から貨幣や貨幣以外の媒体（例えば、商品券等）を回収する。具体的には、レジ担当者は、紙幣処理装置２２のカセット装着部２２ｃに空状態の収納カセット４０を装着することにより、紙幣処理装置２２の収納繰出部２２ａに収納されている売上金としての紙幣を収納カセット４０に収納させる。また、レジ担当者は、硬貨処理装置２４において収納繰出部２４ａに収納されている売上金としての硬貨の出金処理を行う。そして、硬貨処理装置２４から出金された硬貨をレジ担当者は収納ケース（図示せず）に手で収納する。また、レジ担当者は、包装硬貨収納装置２６に収納されている紙幣や硬貨以外の媒体（例えば、商品券等）を手で取りだし、この取り出された媒体を収納ケースに手で収納する。また、紙幣処理装置２２および硬貨処理装置２４等から売上金としての紙幣や硬貨が回収されると、紙幣処理装置２２および硬貨処理装置２４から回収された紙幣や硬貨に係る情報（具体的には、金種毎の枚数）等がリーダライタ２２ｄにより収納カセット４０の記憶媒体４２に書き込まれるようになる。また、貨幣釣銭機２０が設置されている精算所の識別番号や、レジ担当者の識別番号がリーダライタ２２ｄにより収納カセット４０の記憶媒体４２に書き込まれるようになっていてもよい。また、レジ担当者が貨幣釣銭機２０から貨幣や貨幣以外の媒体を回収する際に、回収された貨幣等に関する情報がプリンタ等の印字部２９ｄによりレシートに印字される。レジ担当者は、プリンタ等の印字部２９ｄにより印字されたレシートも収納ケースに手で収納する。
【００５１】
そして、フロント領域１２において貨幣釣銭機２０から貨幣や貨幣以外の媒体を回収したレジ担当者は、収納カセット４０および収納ケースをまとめてフロント領域１２からバックヤード領域１４に運搬する。その後、レジ担当者は収納カセット４０を貨幣入出金機３０の紙幣処理装置３２におけるカセット装着部３２ｃに装着する。このことにより、収納カセット４０に収納されている売上金としての紙幣が当該収納カセット４０から繰り出されて紙幣処理装置３２の筐体の内部に送られ、この紙幣処理装置３２の収納繰出部３２ａに収納されるようになる。また、レジ担当者は収納ケースから売上金としての硬貨を取り出し、この取り出された硬貨を硬貨処理装置３４に入金する。このことにより、硬貨処理装置２４から回収された売上金としての硬貨が硬貨処理装置３４の収納繰出部３４ａに収納されるようになる。また、レジ担当者は収納ケースから紙幣や硬貨以外の媒体（例えば、商品券等）を手で取りだし、この取り出された媒体を包装硬貨収納装置３６に収納する。また、本実施の形態では、収納カセット４０が貨幣入出金機３０の紙幣処理装置３２におけるカセット装着部３２ｃに装着されると、この収納カセット４０の記憶媒体４２に記憶されている情報がリーダライタ３２ｄにより読み取られる。このことにより、収納カセット４０に収納されていた、紙幣処理装置２２および硬貨処理装置２４から回収された紙幣や硬貨に係る情報（具体的には、紙幣や硬貨の金種毎の枚数）等が貨幣入出金機３０の制御部３８により管理されるようになる。
【００５２】
次に、貨幣処理システム１０において補充処理が行われる際の動作（すなわち、図１において参照符合（ｂ）で示す動作）について説明する。店舗の営業時間前に、レジ担当者は釣銭用として貨幣釣銭機２０に収納しておくべき硬貨や紙幣（すなわち、釣銭準備金としての紙幣や硬貨）を貨幣入出金機３０から出金する。具体的には、レジ担当者は、紙幣処理装置３２のカセット装着部３２ｃに空状態の収納カセット４０を装着することにより、紙幣処理装置３２の収納繰出部３２ａから釣銭準備金としての紙幣を繰り出させて収納カセット４０に収納させる。また、レジ担当者は、硬貨処理装置３４において収納繰出部３４ａに収納されている硬貨の出金処理を行う。そして、硬貨処理装置３４から出金された釣銭準備金としての硬貨をレジ担当者は収納ケース（図示せず）に手で収納する。また、レジ担当者は、包装硬貨収納装置３６に収納されている包装硬貨を手で取りだし、この取り出された包装硬貨を収納ケースに手で収納する。また、紙幣処理装置３２および硬貨処理装置３４等から釣銭準備金としての紙幣や硬貨が出金されると、紙幣処理装置３２および硬貨処理装置３４から出金された紙幣や硬貨に係る情報（具体的には、金種毎の枚数）等がリーダライタ３２ｄにより収納カセット４０の記憶媒体４２に書き込まれるようになる。また、紙幣処理装置３２および硬貨処理装置３４から出金された紙幣や硬貨が補充されるべき貨幣釣銭機２０が設置されている精算所の識別番号や、出金処理を行ったレジ担当者の識別番号がリーダライタ３２ｄにより収納カセット４０の記憶媒体４２に書き込まれるようになっていてもよい。
【００５３】
そして、釣銭準備金としての紙幣や硬貨が収納カセット４０や収納カセットに収納されると、レジ担当者は収納カセット４０や収納カセットをバックヤード領域１４からフロント領域１２に運搬する。その後、レジ担当者は収納カセット４０を貨幣釣銭機２０の紙幣処理装置２２におけるカセット装着部２２ｃに装着する。このことにより、収納カセット４０に収納されている釣銭準備金としての紙幣が当該収納カセット４０から繰り出されて紙幣処理装置２２の筐体の内部に送られ、この紙幣処理装置２２の収納繰出部２２ａに収納されるようになる。また、レジ担当者は収納ケースから釣銭準備金としての硬貨を取り出し、この取り出された硬貨を硬貨処理装置２４に入金する。このことにより、硬貨処理装置３４から出金された釣銭準備金としての硬貨が硬貨処理装置２４の収納繰出部２４ａに収納されるようになる。また、レジ担当者は収納ケースから釣銭準備金としての包装硬貨を手で取りだし、この取り出された包装硬貨を包装硬貨収納装置２６に収納する。また、本実施の形態では、収納カセット４０が貨幣釣銭機２０の紙幣処理装置２２におけるカセット装着部２２ｃに装着されると、この収納カセット４０の記憶媒体４２に記憶されている情報がリーダライタ２２ｄにより読み取られる。このことにより、収納カセット４０に収納されていた、紙幣処理装置３２および硬貨処理装置３４から出金された釣銭準備金としての紙幣や硬貨に係る情報（具体的には、紙幣や硬貨の金種毎の枚数）等が貨幣釣銭機２０の制御部２８により管理されるようになる。
【００５４】
また、本実施の形態の貨幣処理システム１０では、各貨幣釣銭機２０に対応して用いられる収納カセット４０の他に、予備の収納カセット４０（すなわち、各貨幣釣銭機２０に対応していない収納カセット４０）が用いられるようになっている。このような予備の収納カセット４０は、各貨幣釣銭機２０から貨幣を回収して貨幣入出金機３０に入金する際にこの貨幣入出金機３０の紙幣処理装置３２における収納繰出部３２ａがフルまたはニアフル状態となってしまい当該収納繰出部３２ａに紙幣をこれ以上収納させることができなくなった場合に、この収納繰出部３２ａに収納されている紙幣を一時的に収納するような収納用のものとして用いられるようになっている。このような技術的事項の詳細について以下に説明する。
【００５５】
本実施の形態の貨幣処理システム１０において、複数の貨幣釣銭機２０から貨幣を全て回収して貨幣入出金機３０に入金するような全回収処理が定期的に行われる場合がある。このような全回収処理が行われる途中で、貨幣入出金機３０の紙幣処理装置３２における収納繰出部３２ａがフル状態またはニアフル状態となってしまい収納繰出部３２ａに紙幣をこれ以上収納させることができなくなった場合には、紙幣処理装置３２のカセット装着部３２ｃに装着されている収納カセット４０から紙幣を繰り出して収納繰出部３２ａに送る動作が中断される。また、収納繰出部３２ａがフル状態またはニアフル状態である旨の情報が貨幣入出金機３０の操作表示部３９ａに表示される。また、貨幣入出金機３０の操作表示部３９ａには、紙幣処理装置３２のカセット装着部３２ｃから回収用の収納カセット４０を取り外して予備の収納カセット４０をカセット装着部３２ｃに装着することを操作者に促す画面が表示される。その後、レジ担当者等の操作者が紙幣処理装置３２のカセット装着部３２ｃから回収用の収納カセット４０を取り外して空状態の予備の収納カセット４０をカセット装着部３２ｃに装着すると、収納繰出部３２ａから紙幣が繰り出されて収納カセット４０に収納されるようになる。そして、図１において参照符合（ｃ）で示すように操作者はカセット装着部３２ｃから収納カセット４０を取り外す。このようにして、紙幣が収納されている収納カセット４０がバックヤード領域１４で保管されるようになる。このような動作を行うことにより、紙幣処理装置３２の収納繰出部３２ａに空き容量ができるため、全回収処理を引き続き行うことができるようになる。
【００５６】
また、本実施の形態の貨幣処理システム１０において、各貨幣釣銭機２０に釣銭準備金として補充されるべき紙幣や硬貨が貨幣入出金機３０から出金される途中で、紙幣処理装置３２の収納繰出部３２ａが空状態となってしまう場合がある。このような場合には、レジ担当者等の操作者は、図１において参照符合（ｄ）で示すように、バックヤード領域１４で保管されていた、紙幣が収納されている収納用の収納カセット４０を紙幣処理装置３２のカセット装着部３２ｃに装着する。このことにより、収納カセット４０から紙幣が繰り出されて収納繰出部３２ａに送られるようになり、各貨幣釣銭機２０への釣銭準備金としての貨幣の補充処理を引き続き行うことができるようになる。
【００５７】
また、本実施の形態では、収納繰出部３２ａにおける紙幣の収納状態に応じて、カセット装着部３２ｃに装着されている収納カセット４０の用途が用途決定手段５０により決められるようになっている。また、用途決定手段５０により決められた収納カセット４０の用途は、リーダライタ３２ｄにより当該収納カセット４０の記憶媒体４２に書き込まれるようになっている。具体的には、収納カセット４０の用途としては、回収用、補充用および収納用がある。ここで、各貨幣釣銭機２０に対応して用いられる収納カセット４０の用途は概ね回収用または補充用となる。一方、予備の収納カセット４０の用途は概ね収納用となる。
【００５８】
より詳しく説明すると、上述した回収処理が行われる際に空状態の収納カセット４０が貨幣釣銭機２０の紙幣処理装置２２におけるカセット装着部２２ｃに装着された後、回収処理を行う旨の指令が操作者によって操作表示部２９ａにより入力されると、収納カセット４０の用途が回収用であることがリーダライタ２２ｄにより収納カセット４０の記憶媒体４２に書き込まれる。また、紙幣処理装置２２において収納繰出部２２ａから売上金としての紙幣が繰り出され、この繰り出された紙幣が収納カセット４０に収納される。その後、カセット装着部２２ｃから取り外された収納カセット４０がフロント領域１２からバックヤード領域１４に運搬された後、この収納カセット４０が貨幣入出金機３０の紙幣処理装置３２におけるカセット装着部３２ｃに装着されたときに、収納カセット４０の用途が回収用である旨の情報がリーダライタ３２ｄにより収納カセット４０の記憶媒体４２から読み取られると、収納カセット４０から売上金としての紙幣が収納繰出部３２ａに送られるようになる（図６参照）。
【００５９】
また、上述した補充処理が行われる際に空状態の収納カセット４０が貨幣入出金機３０の紙幣処理装置３２におけるカセット装着部３２ｃに装着された後、補充処理を行う旨の指令が操作者によって操作表示部３９ａにより入力されると、収納カセット４０の用途が補充用であることがリーダライタ３２ｄにより収納カセット４０の記憶媒体４２に書き込まれる。また、紙幣処理装置３２において収納繰出部３２ａから釣銭準備金としての紙幣が繰り出され、この繰り出された紙幣が収納カセット４０に収納される（図６参照）。その後、カセット装着部２２ｃから取り外された収納カセット４０がバックヤード領域１４からフロント領域１２に運搬された後、この収納カセット４０が貨幣釣銭機２０の紙幣処理装置２２におけるカセット装着部２２ｃに装着されたときに、収納カセット４０の用途が補充用である旨の情報がリーダライタ２２ｄにより収納カセット４０の記憶媒体４２から読み取られると、収納カセット４０から釣銭準備金としての紙幣が収納繰出部２２ａに送られるようになる。
【００６０】
また、貨幣入出金機３０の紙幣処理装置３２における収納繰出部３２ａがフル状態またはニアフル状態となっておりこの収納繰出部３２ａに紙幣をこれ以上収納することができない場合にカセット装着部３２ｃに空状態の収納カセット４０が装着されると、カセット装着部３２ｃに装着されている収納カセット４０の用途が収納用であることが用途決定手段５０により決められる。また、この場合には、収納カセット４０の用途が収納用であることがリーダライタ３２ｄにより収納カセット４０の記憶媒体４２に書き込まれる。また、収納カセット４０の用途が収納用であることがリーダライタ３２ｄにより収納カセット４０の記憶媒体４２に書き込まれた後、紙幣処理装置３２において収納繰出部３２ａから紙幣が繰り出され、この繰り出された紙幣が収納カセット４０に収納される（図６参照）。このようにして、制御部３８は、収納繰出部３２ａにおける紙幣の収納状態に応じて、カセット装着部３２ｃに装着されている空状態の収納カセット４０に収納繰出部３２ａから紙幣を送る制御を行うようになる。その後、貨幣入出金機３０において補充処理が行われることにより収納繰出部３２ａに空き容量が形成された後、紙幣が収納されている収納用の収納カセット４０が貨幣入出金機３０の紙幣処理装置３２におけるカセット装着部３２ｃに装着されると、収納カセット４０の記憶媒体４２からリーダライタ３２ｄにより当該収納カセット４０の用途に係る情報が読み取られる。そして、収納カセット４０の用途が収納用であることがリーダライタ３２ｄにより読み取られると、収納カセット４０から紙幣が繰り出され、この繰り出された紙幣が収納繰出部３２ａに収納されるようになる（図６）。
【００６１】
なお、本実施の形態では、収納カセット４０の用途として、回収用および補充用が分けられる代わりに、補充回収用という用途が用いられてもよい。収納カセット４０の記憶媒体４２に記憶されている収納カセット４０の用途が補充回収用である場合に、この収納カセット４０が貨幣入出金機３０の紙幣処理装置３２におけるカセット装着部３２ｃに装着されたときの動作について以下に説明する。収納カセット４０が貨幣入出金機３０の紙幣処理装置３２におけるカセット装着部３２ｃに装着され、この収納カセット４０の記憶媒体４２からリーダライタ３２ｄにより読み取られた収納カセット４０の用途が補充回収用であった場合に、収納カセット４０に紙幣が収納されていたときには、この収納カセット４０は貨幣釣銭機２０の紙幣処理装置２２から回収された紙幣を収納したものであると考えられるため、収納カセット４０から紙幣が繰り出されて収納繰出部３２ａに送られるようになる。一方、収納カセット４０が貨幣入出金機３０の紙幣処理装置３２におけるカセット装着部３２ｃに装着され、この収納カセット４０の記憶媒体４２からリーダライタ３２ｄにより読み取られた収納カセット４０の用途が補充回収用であった場合において、収納カセット４０に紙幣が収納されていなかったときには、この収納カセット４０は貨幣釣銭機２０への釣銭準備金としての紙幣の補充に用いられるものであると考えられるため、収納繰出部３２ａから紙幣が繰り出されて収納カセット４０に送られるようになる（図６参照）。
【００６２】
また、本実施の形態では、予備の収納カセット４０（すなわち、各貨幣釣銭機２０に対応していない収納カセット４０）が、釣銭準備金としての貨幣を各貨幣釣銭機２０に補充する補充処理で用いられてもよい。具体的には、貨幣入出金機３０の紙幣処理装置３２におけるカセット装着部３２ｃに収納カセット４０が装着されているときに、操作者が操作表示部２９ａにより収納カセット４０の用途が予備補充用である旨の入力を行うと、収納カセット４０の記憶媒体４２にはリーダライタ３２ｄにより当該収納カセット４０の用途が予備補充用であるという情報が書き込まれる。また、各貨幣釣銭機２０に補充されるべき釣銭準備金としての貨幣に係る情報（具体的には、各紙幣処理装置２２に補充されるべき紙幣の金種毎の枚数等に係る情報）もリーダライタ３２ｄにより収納カセット４０の記憶媒体４２に書き込まれるようになる。また、各貨幣釣銭機２０に釣銭準備金として補充されるべき紙幣が収納繰出部３２ａから繰り出されて収納カセット４０に送られるようになる。その後、図７において参照符合（ｅ）で示すように、各貨幣釣銭機２０に釣銭準備金として補充されるべき紙幣が収納されている収納カセット４０がバックヤード領域１４からフロント領域１２に運搬され、各貨幣釣銭機２０の紙幣処理装置２２におけるカセット装着部２２ｃに装着されることにより、収納カセット４０から各貨幣釣銭機２０の紙幣処理装置２２における収納繰出部２２ａに釣銭準備金としての紙幣が補充されるようになる。より詳細には、貨幣釣銭機２０の紙幣処理装置２２におけるカセット装着部２２ｃに収納カセット４０が装着され、この収納カセット４０の記憶媒体４２からリーダライタ２２ｄにより当該収納カセット４０の用途が予備補充用である旨の情報が読み取られると、記憶媒体４２からリーダライタ２２ｄにより読み取られた釣銭準備金としての貨幣に係る情報に基づいて、所定の枚数の紙幣が収納カセット４０から繰り出されて収納繰出部２２ａに送られるようになる。
【００６３】
また、図７では、１つの予備補充用の収納カセット４０により複数の貨幣釣銭機２０に釣銭準備金としての紙幣を補充する動作が示されているが、本実施の形態の貨幣処理システム１０はこのような態様に限定されることはない。本実施の形態の貨幣処理システム１０における他の例として、１つの予備補充用の収納カセット４０から１つの貨幣釣銭機２０に釣銭準備金としての紙幣が補充されるようになっていてもよい。この場合には、貨幣入出金機３０の紙幣処理装置３２におけるカセット装着部３２ｃに収納カセット４０が装着されたときに、１つの貨幣釣銭機２０に補充されるべき釣銭準備金としての貨幣に係る情報（具体的には、１つの紙幣処理装置２２に補充されるべき紙幣の金種毎の枚数等に係る情報）がリーダライタ３２ｄにより収納カセット４０の記憶媒体４２に書き込まれるようになる。
【００６４】
また、本実施の形態の貨幣処理システム１０では、各貨幣釣銭機２０に対応して用いられる収納カセット４０（すなわち、回収用または補充用として用いられる収納カセット４０）を、予備の収納カセット４０としても用いることができるようになっていてもよい。すなわち、収納カセット４０の用途が回収用または補充用であることが記憶媒体４２に記憶されている収納カセット４０が貨幣入出金機３０の紙幣処理装置３２におけるカセット装着部３２ｃに装着されているときに、収納繰出部３２ａがフル状態またはニアフル状態となることによって当該収納繰出部３２ａに紙幣をこれ以上収納させることができなくなった場合に、カセット装着部３２ｃに装着されている収納カセット４０の用途が用途決定手段５０により回収用または補充用から収納用に変えられるようになる。また、この場合には、収納カセット４０の用途が収納用であることがリーダライタ３２ｄにより収納カセット４０の記憶媒体４２に書き込まれるようになる。そして、収納カセット４０の用途が収納用であることがリーダライタ３２ｄにより収納カセット４０の記憶媒体４２に書き込まれた後、収納繰出部３２ａから紙幣が繰り出されて収納カセット４０に送られるようになる。
【００６５】
また、図１乃至図７に示す貨幣処理システム１０の更に別の例では、空状態の収納カセット４０が貨幣入出金機３０の紙幣処理装置３２におけるカセット装着部３２ｃに装着されると、収納繰出部３２ａにおける紙幣の収納状態に関係なく、カセット装着部３２ｃに装着されている収納カセット４０の用途が用途決定手段５０により収納用に決められるようになっていてもよい。この場合には、操作者が補充処理を行いたい場合に、操作表示部３９ａにより補充処理を行う旨の指令を入力すると、カセット装着部３２ｃに装着されている収納カセット４０の用途が用途決定手段５０により収納用から補充用に変えられるようになる。
【００６６】
なお、本実施の形態の貨幣処理システムは、図１乃至図７に示すような、収納カセット４０に記憶媒体４２が設けられ、この記憶媒体４２に収納カセット４０の用途が記憶される態様のものに限定されることはない。本実施の形態の貨幣処理システムの他の例として、図８乃至図１１に示すような、収納カセット４０に記憶媒体４２ではなくバーコード等の識別用媒体４４が設けられるようなものが用いられてもよい。このような態様について以下に説明する。
【００６７】
図８乃至図１１は、本実施の形態の他の例に係る貨幣処理システム１０ａおよびこのような貨幣処理システム１０ａに設けられた貨幣釣銭機２０ａおよび貨幣入出金機３０ａを示す図である。なお、図８乃至図１１に示す貨幣釣銭機２０ａおよび貨幣入出金機３０ａを説明するにあたり、図１乃至図７に示す貨幣釣銭機２０および貨幣入出金機３０と同一の構成部材については同一の参照符合を付してその説明を省略する。
【００６８】
上述したように、図８乃至図１１に示す貨幣処理システム１０ａでは、貨幣釣銭機２０ａと貨幣入出金機３０ａとの間で紙幣の受け渡しを行う複数の収納カセット４０の各々には識別番号等の識別情報が対応付けられるようになっている。また、収納カセット４０には、当該収納カセット４０の識別情報を示すバーコード等の識別用媒体４４が設けられている。また、図９に示すように、貨幣釣銭機２０の紙幣処理装置２２には、カセット装着部２２ｃに装着されている収納カセット４０の識別用媒体４４から当該収納カセット４０の識別情報を読み取るバーコードリーダ２２ｅが設けられている。このようなバーコードリーダ２２ｅが設けられていることにより、貨幣釣銭機２０の紙幣処理装置２２におけるカセット装着部２２ｃに収納カセット４０が装着されると、この収納カセット４０の識別番号等の識別情報がバーコードリーダ２２ｅによって識別用媒体４４から読み取られて制御部２８に送られるようになる。また、図１０に示すように、貨幣入出金機３０の紙幣処理装置３２にも、カセット装着部３２ｃに装着されている収納カセット４０の識別用媒体４４から当該収納カセット４０の識別情報を読み取るバーコードリーダ３２ｅが設けられている。このようなバーコードリーダ３２ｅが設けられていることにより、貨幣入出金機３０の紙幣処理装置３２におけるカセット装着部３２ｃに収納カセット４０が装着されると、この収納カセット４０の識別番号等の識別情報がバーコードリーダ３２ｅによって識別用媒体４４から読み取られて制御部３８に送られるようになる。
【００６９】
また、図８乃至図１１に示す貨幣処理システム１０ａでは、各貨幣釣銭機２０ａと貨幣入出金機３０ａとはＬＡＮ１６等によって有線または無線により互いに通信可能に接続されている。このことにより、各貨幣釣銭機２０ａの制御部２８と貨幣入出金機３０ａの制御部３８との間で信号の送受信を行うことができるようになる。なお、図８乃至図１１に示す貨幣処理システム１０ａにおいて、各貨幣釣銭機２０ａと貨幣入出金機３０ａとが必ずしも通信可能に接続される必要はない。図８乃至図１１に示す貨幣処理システム１０ａの変形例において、各貨幣釣銭機２０ａと貨幣入出金機３０ａとが通信可能に接続されていなくてもよい。
【００７０】
また、図８乃至図１１に示す貨幣処理システム１０ａでは、各収納カセット４０の用途が当該収納カセット４０に設けられた記憶媒体４２に書き込まれる代わりに、各収納カセット４０の用途が当該収納カセット４０の識別番号と関連付けられて貨幣入出金機３０ａの記憶部３９ｂに記憶されるようになっている。貨幣入出金機３０ａの記憶部３９ｂに記憶される、収納カセット４０の識別番号とこの収納カセット４０の用途との関係を示す表を図１１に示す。図１１に示すように、各収納カセット４０の用途が回収用、補充用または収納用であることが当該収納カセット４０の識別番号と関連付けられて記憶部３９ｂに記憶されている。また、用途決定手段５０により収納カセット４０の用途が決められると、記憶部３９ｂに記憶されている収納カセット４０の用途が書き換えられるようになる。
【００７１】
より詳細に説明すると、図８乃至図１１に示す貨幣処理システム１０ａにおいて、回収処理が行われる際に空状態の収納カセット４０が貨幣釣銭機２０の紙幣処理装置２２におけるカセット装着部２２ｃに装着された後、回収処理を行う旨の指令が操作者によって操作表示部２９ａにより入力されると、バーコードリーダ２２ｅにより識別用媒体４４から読み取られた収納カセット４０の識別番号およびこの識別番号に対応する収納カセット４０の用途が回収用であるという情報が貨幣釣銭機２０の制御部２８から貨幣入出金機３０の制御部３８に送信される。そして、記憶部３９ｂに記憶されている各識別番号の収納カセット４０の用途のうち、貨幣釣銭機２０の紙幣処理装置２２におけるカセット装着部２２ｃに装着された識別番号の収納カセット４０の用途が回収用に書き換えられる。また、紙幣処理装置２２において収納繰出部２２ａから売上金としての紙幣が繰り出され、この繰り出された紙幣が収納カセット４０に収納される。その後、カセット装着部２２ｃから取り外された収納カセット４０がフロント領域１２からバックヤード領域１４に運搬された後、この収納カセット４０が貨幣入出金機３０の紙幣処理装置３２におけるカセット装着部３２ｃに装着されたときに、記憶部３９ｂに記憶されている情報に基づいて、バーコードリーダ３２ｅにより収納カセット４０の識別用媒体４４から読み取られた収納カセット４０の識別番号に対応する収納カセット４０の用途が回収用であると判断されると、収納カセット４０から売上金としての紙幣が収納繰出部３２ａに送られるようになる（図６参照）。
【００７２】
また、図８乃至図１１に示す貨幣処理システム１０ａにおいて、補充処理が行われる際に空状態の収納カセット４０が貨幣入出金機３０の紙幣処理装置３２におけるカセット装着部３２ｃに装着された後、補充処理を行う旨の指令が操作者によって操作表示部３９ａにより入力されると、記憶部３９ｂに記憶されている各識別番号の収納カセット４０の用途のうち、貨幣入出金機３０の紙幣処理装置３２におけるカセット装着部３２ｃに装着された識別番号の収納カセット４０の用途が補充用に書き換えられる。また、紙幣処理装置３２において収納繰出部３２ａから釣銭準備金としての紙幣が繰り出され、この繰り出された紙幣が収納カセット４０に収納される（図６参照）。その後、カセット装着部２２ｃから取り外された収納カセット４０がバックヤード領域１４からフロント領域１２に運搬された後、この収納カセット４０が貨幣釣銭機２０の紙幣処理装置２２におけるカセット装着部２２ｃに装着されると、バーコードリーダ２２ｅにより収納カセット４０の識別用媒体４４から収納カセット４０の識別番号が読み取られる。そして、貨幣釣銭機２０の制御部２８と貨幣入出金機３０の制御部３８との間で通信を行うことにより、記憶部３９ｂに記憶されている情報に基づいて、バーコードリーダ２２ｅにより収納カセット４０の識別用媒体４４から読み取られた収納カセット４０の識別番号に対応する収納カセット４０の用途が補充用であると判断されると、収納カセット４０から釣銭準備金としての紙幣が収納繰出部２２ａに送られるようになる。
【００７３】
また、貨幣入出金機３０の紙幣処理装置３２における収納繰出部３２ａがフル状態またはニアフル状態となっておりこの収納繰出部３２ａに紙幣をこれ以上収納することができない場合にカセット装着部３２ｃに空状態の収納カセット４０が装着されると、カセット装着部３２ｃに装着されている収納カセット４０の用途が収納用であることが用途決定手段５０により決められる。また、この場合には、記憶部３９ｂに記憶されている各識別番号の収納カセット４０の用途のうち、バーコードリーダ３２ｅにより当該収納カセット４０の識別用媒体４４から読み取られた収納カセット４０の識別番号に対応する収納カセット４０の用途が収納用に書き換えられる。また、記憶部３９ｂに記憶されている、貨幣入出金機３０の紙幣処理装置３２におけるカセット装着部３２ｃに装着された識別番号の収納カセット４０の用途が収納用に書き換えられた後、紙幣処理装置３２において収納繰出部３２ａから紙幣が繰り出され、この繰り出された紙幣が収納カセット４０に収納される（図６参照）。このようにして、制御部３８は、収納繰出部３２ａにおける紙幣の収納状態に応じて、カセット装着部３２ｃに装着されている空状態の収納カセット４０に収納繰出部３２ａから紙幣を送る制御を行うようになる。その後、貨幣入出金機３０において補充処理が行われることにより収納繰出部３２ａに空き容量が形成された後、紙幣が収納されている収納用の収納カセット４０が貨幣入出金機３０の紙幣処理装置３２におけるカセット装着部３２ｃに装着されると、この収納カセット４０の識別用媒体４４からバーコードリーダ３２ｅにより当該収納カセット４０の識別番号が読み取られる。そして、記憶部３９ｂに記憶されている情報に基づいて、この読み取られた収納カセット４０の識別番号に対応する収納カセット４０の用途が収容用であった場合には、収納カセット４０から紙幣が繰り出され、この繰り出された紙幣が収納繰出部３２ａに収納されるようになる（図６）。
【００７４】
以上のような構成からなる本実施の形態の貨幣処理システム１０、１０ａやこの貨幣処理システム１０、１０ａに設けられた貨幣入出金機３０、３０ａによれば、収納繰出部３２ａにおける紙幣の収納状態に応じて、カセット装着部３２ｃに装着されている空状態の収納カセット４０に収納繰出部３２ａから紙幣を送るようになっている。このように、収納繰出部３２ａにおける紙幣の収納状態に応じて当該収納繰出部３２ａから空状態の収納カセット４０に紙幣を送ることにより、釣銭準備金作成時に収納繰出部３２ａの紙幣が不足した場合でも、収納カセット４０を装着するだけで紙幣の補充が可能となり、よって回収カセット（図示せず）から紙幣を取り出す等の作業を無くすことができ、このことにより作業者の手間と補充時間を低減することができる。
【００７５】
より詳細に説明すると、従来の貨幣処理システムでは、貨幣入出金機の紙幣処理装置に着脱自在に装着される収納カセットを、回収用や補充用ではなく収納用として用いるような運用が行われていなかった。このため、従来の貨幣処理システムにおいて、複数の貨幣釣銭機から貨幣を全て回収して貨幣入出金機に入金するような全回収処理が定期的に行われる場合に、このような全回収処理を行っている途中で、貨幣入出金機に設けられている収納繰出部がフル状態となってしまいこの収納繰出部に貨幣をこれ以上収納させることができなくなったときには、貨幣釣銭機から回収された貨幣を貨幣入出金機に入金させる処理を中断してフル状態となった収納繰出部から貨幣を回収しなければならない。しかしながら、全回収処理後に複数の貨幣釣銭機への釣銭準備金の補充処理を行う場合に、収納繰出部の容量を超える釣銭準備金が必要なときには、回収カセットに回収された貨幣を手で取り出し、貨幣入出金機への補充処理を行わなければならず、作業者の手間と補充処理の時間がかかってしまう。これに対し、本実施の形態では、収納繰出部３２ａにおける紙幣の収納状態に応じて、カセット装着部３２ｃに装着されている空状態の収納カセット４０に収納繰出部３２ａから紙幣を送ることにより、収納繰出部３２ａに収納されている紙幣を収納カセット４０に一時的に退避させることができる。このため、全回収処理後に複数の貨幣釣銭機２０、２０ａへの釣銭準備金の補充処理を行う場合に、収納繰出部３２ａの容量を超える釣銭準備金が必要なときには、この退避していた紙幣が収納されている収納カセット４０を貨幣入出金機３０、３０ａに装着するだけで収納カセット４０から収納繰出部３２ａに紙幣が戻されることにより当該収納繰出部３２ａに紙幣を補充することができるようになる。このようにして、本実施の形態では、回収カセット（図示せず）から紙幣を取り出す等の作業を無くすことができ、このことにより作業者の手間と補充時間を低減することができる。
【００７６】
また、本実施の形態の貨幣処理システム１０、１０ａやこの貨幣処理システム１０、１０ａに設けられた貨幣入出金機３０、３０ａにおいては、上述したように、収納繰出部３２ａにおける紙幣の収納状態に応じて、カセット装着部３２ｃに装着されている収納カセット４０の用途を決める用途決定手段５０が設けられている。このように、収納繰出部３２ａにおける紙幣の収納状態に応じてカセット装着部３２ｃに装着されている収納カセット４０の用途を決めることにより、収納カセット４０の用途を適切なものとすることができる。
【００７７】
また、本実施の形態の貨幣処理システム１０、１０ａやこの貨幣処理システム１０、１０ａに設けられた貨幣入出金機３０、３０ａにおいては、上述したように、用途決定手段５０は、収納繰出部３２ａに紙幣をこれ以上収納することができない場合に、カセット装着部３２ｃに装着されている収納カセット４０の用途を収納用とするようになっている。また、用途決定手段５０は、カセット装着部３２ｃに収納カセット４０が装着されたときに当該収納カセット４０に紙幣が収納されていなかったときにおいてのみ、カセット装着部３２ｃに装着されている収納カセット４０の用途を収納用とすることができるようになっている。言い換えると、用途決定手段５０は、カセット装着部３２ｃに収納カセット４０が装着されたときに当該収納カセット４０に紙幣が収納されていた場合には、このような紙幣は貨幣釣銭機２０の紙幣処理装置２２から回収された紙幣であると考えられるため、カセット装着部３２ｃに装着されている収納カセット４０の用途を回収用とし、この収納カセット４０から紙幣を繰り出させて収納繰出部３２ａに収納させるようになっている。
【００７８】
また、図１乃至図７に示す貨幣処理システム１０では、収納カセット４０には記憶媒体４２が設けられており、貨幣入出金機３０の紙幣処理装置３２には、カセット装着部３２ｃに装着されている収納カセット４０に設けられている記憶媒体４２に情報を書き込む書込部としてリーダライタ３２ｄが設けられている。また、用途決定手段５０により決定された収納カセット４０の用途に係る情報が書込部としてのリーダライタ３２ｄにより収納カセット４０に設けられている記憶媒体４２に書き込まれるようになっている。また、この場合には、リーダライタ３２ｄは、カセット装着部３２ｃに装着されている収納カセット４０に設けられている記憶媒体４２から情報を読み取る読取部としても機能するようになる。
【００７９】
また、図８乃至図１１に示す貨幣処理システム１０ａでは、収納カセット４０には当該収納カセット４０の識別情報を示す識別用媒体４４が設けられており、貨幣入出金機３０の紙幣処理装置３２には、カセット装着部３２ｃに装着されている収納カセット４０に設けられている識別用媒体４４から収納カセット４０の識別情報を読み取る識別情報読取部としてバーコードリーダ３２ｅが設けられている。また、貨幣入出金機３０には記憶部３９ｂが設けられており、用途決定手段５０により決定された収納カセット４０の用途に係る情報が、識別情報読取部としてのバーコードリーダ３２ｅにより読み取られた収納カセット４０の識別情報に関連付けられて記憶部３９ｂに記憶されるようになっている（図１１参照）。
【００８０】
なお、本発明による貨幣処理システムや貨幣入出金機は、上述したような態様に限定されることはなく、様々な変更を加えることができる。
【００８１】
上記の説明では、図１乃至図１１に示す貨幣処理システム１０、１０ａにおいて、複数の貨幣釣銭機２０、２０ａから貨幣を全て回収して貨幣入出金機３０、３０ａに入金するような全回収処理を行う場合についての動作を述べたが、店舗内の貨幣を全て計数するような棚卸し処理においても同様の動作が行われるようになっていてもよい。より詳細に説明すると、店舗内の貨幣を全て計数するような棚卸し処理において、複数の貨幣釣銭機２０、２０ａの紙幣処理装置２２から紙幣が全て収納カセット４０に送られてこの収納カセット４０から貨幣入出金機３０、３０ａの紙幣処理装置３２に紙幣が入金されるようになる。そして、紙幣処理装置３２において紙幣の計数が行われた後、この紙幣処理装置３２から収納カセット４０により各貨幣釣銭機２０、２０ａの紙幣処理装置２２に紙幣が戻されるようになる。また、このような動作において、収納繰出部３２ａにおける紙幣の収納状態に応じて、カセット装着部３２ｃに装着されている空状態の収納カセット４０に収納繰出部３２ａから紙幣を送るようになる。この場合でも、釣銭準備金作成時に収納繰出部３２ａの紙幣が不足した場合に、収納カセット４０を装着するだけで紙幣の補充が可能となり、よって回収カセット（図示せず）から紙幣を取り出す等の作業を無くすことができ、このことにより作業者の手間と補充時間を低減することができる。
【００８２】
また、上述した棚卸し処理において、以下に示す動作が行われるようになっていてもよい。具体的には、棚卸し処理が行われる際に、各貨幣釣銭機２０、２０ａから出金された貨幣が貨幣入出金機３０、３０ａに入金される前に、貨幣入出金機３０、３０ａの紙幣処理装置３２および硬貨処理装置３４において収納繰出部３２ａや収納繰出部３４ａに収納されている紙幣や硬貨が全て回収カセットに送られる。その後、各貨幣釣銭機２０、２０ａから出金された貨幣を貨幣入出金機３０、３０ａに入金するにあたり、貨幣入出金機３０、３０ａの紙幣処理装置３２におけるカセット装着部３２ｃに収納カセット４０が装着されると、この収納カセット４０から繰り出された紙幣のうち一万円紙幣だけは紙幣処理装置３２の回収カセットに収納させ、その他の金種の紙幣は全て紙幣処理装置３２の収納繰出部３２ａに収納させる。また、各貨幣釣銭機２０、２０ａから出金された貨幣のうち硬貨および包装硬貨は全て硬貨処理装置３４の収納繰出部３４ａや包装硬貨収納装置３６にそれぞれ収納させる。そして、貨幣入出金機３０、３０ａにおいて貨幣の計数が行われた後、紙幣処理装置３２の収納繰出部３２ａや硬貨処理装置３４の収納繰出部３４ａに収納されている紙幣や硬貨を出金させる。この際に、紙幣処理装置３２から出金された紙幣は収納カセット４０に収納される。また、操作者は包装硬貨収納装置３６に収納されている包装硬貨を取り出す。その後、操作者は紙幣処理装置３２や硬貨処理装置３４、包装硬貨収納装置３６から出金された紙幣、硬貨および包装硬貨を元の貨幣釣銭機２０、２０ａに戻す。なお、このような動作が行われる際に、貨幣釣銭機２０、２０ａから出金された一万円紙幣は貨幣入出金機３０、３０ａの回収カセットに収納されるため、元の貨幣釣銭機２０、２０ａに戻されないが、一万円紙幣は概して釣銭準備金として必要ないので元の貨幣釣銭機２０、２０ａに戻されなくても問題ない。このような方法により棚卸し処理を行った場合には、貨幣釣銭機２０、２０ａから出金された一万円紙幣を貨幣入出金機３０、３０ａの回収カセットに収納させることにより、収納繰出部３２ａがフル状態またはニアフル状態となってしまいこの収納繰出部３２ａに紙幣をこれ以上収納させることができなくなってしまう状態になることを極力抑制することができる。このことにより、貨幣釣銭機２０、２０ａから回収された紙幣や硬貨を貨幣入出金機３０、３０ａにおいて計数する際に途中で計数できなくなってしまうことを抑制することができるため、棚卸し処理をできるだけ早く終わらせることができるようになる。
【００８３】
また、図１乃至図１１に示す貨幣処理システム１０、１０ａでは、貨幣入出金機３０、３０ａの紙幣処理装置３２において収納カセット４０が装着されるカセット装着部３２ｃが設けられているが、このような態様に限定されることはない。変形例に係る貨幣処理システムにおいて、貨幣入出金機の紙幣処理装置にカセット装着部が設けられる代わりに、紙幣処理装置の入金口や入出金口に収納カセットが着脱自在に装着されるようになっていてもよい。この場合には、紙幣処理装置の入金口や入出金口に収納カセットが装着されると、収納カセットから繰り出された紙幣を入金口や入出金口により紙幣処理装置の筐体内に送ったり、紙幣処理装置の筐体内から入金口や入出金口を介して収納カセットに紙幣を送ったりすることができるようになる。
【００８４】
また、変形例に係る貨幣処理システムにおいて、予備の収納カセット（言い換えると、収納用として用いられる収納カセット）が、紙幣の金種毎に複数設けられていてもよい。この場合には、紙幣処理装置の収納繰出部がフル状態またはニアフル状態となったときに、各金種に対応する収納カセットを順次カセット装着部に装着することにより、複数の収納カセットの各々に紙幣を金種毎に収納させることができるようになる。なお、予備の収納カセットとして１つの収納カセットが用いられる場合には、紙幣処理装置の収納繰出部がフル状態またはニアフル状態となったときに、収納カセットがカセット装着部に装着されると、この収納カセットに複数の金種の紙幣が混合状態で収納されるようになる。
【００８５】
また、別の変形例に係る貨幣処理システムにおいて、貨幣入出金機の紙幣処理装置に複数のカセット装着部が設けられていてもよい。この場合には、回収用の収納カセットおよび収納用の収納カセットをそれぞれ同時に紙幣処理装置に装着することができるようになる。この場合には、上述した全回収処理が行われる際に、貨幣入出金機の紙幣処理装置における収納繰出部がフル状態またはニアフル状態となってしまいこの収納繰出部に紙幣をこれ以上収納させることができなくなった場合でも、回収用の収納カセットを紙幣処理装置から取り外すことなく収納繰出部から収納用の収納カセットに紙幣を送ることができるようになる。
【００８６】
また、更に別の変形例に係る貨幣処理システムにおいて、フロント領域に設けられる各貨幣釣銭機の硬貨処理装置と、バックヤード領域に設けられる貨幣入出金機の硬貨処理装置との間で収納カセットにより硬貨の受け渡しが行われるようになっていてもよい。この場合には、硬貨を収納するとともに収納されている硬貨の繰り出しを行う収納カセットが、各貨幣釣銭機の硬貨処理装置および貨幣入出金機の硬貨処理装置にそれぞれ着脱自在に装着されるようになる。また、貨幣入出金機において、硬貨処理装置における硬貨の収納状態に応じて、当該硬貨処理装置に装着されている空状態の収納カセットに収納繰出部から硬貨が送られるようになる。この場合には、釣銭準備金作成時に収納繰出部の硬貨が不足した場合でも、収納カセットを装着するだけで硬貨の補充が可能となり、よって回収カセットから硬貨を取り出す等の作業を無くすことができ、このことにより作業者の手間と補充時間を低減することができる。また、このような貨幣処理システムにおいて、貨幣入出金機に設けられる用途決定手段は、硬貨処理装置の収納繰出部における硬貨の収納状態に応じて、この硬貨処理装置のカセット装着部に装着されている収納カセットの用途を決めるようになっていてもよい。具体的には、用途決定手段は、硬貨処理装置の収納繰出部に硬貨をこれ以上収納することができない場合に、カセット装着部に装着されている収納カセットの用途を収納用としてもよい。また、硬貨を収納する収納カセットの用途に関して、上述した紙幣を収納する収納カセットの用途と同様の運用が行われるようになる。
【符号の説明】
【００８７】
１０、１０ａ  貨幣処理システム
１２    フロント領域
１４    バックヤード領域
２０、２０ａ  貨幣釣銭機
２２    紙幣処理装置
２２ａ  収納繰出部
２２ｂ  紙幣処理部
２２ｃ  カセット装着部
２２ｄ  リーダライタ
２２ｅ  バーコードリーダ
２４    硬貨処理装置
２４ａ  収納繰出部
２４ｂ  硬貨処理部
２６    包装硬貨収納装置
２６ａ  ロック機構
２８    制御部
２９ａ  操作表示部
２９ｂ  記憶部
２９ｃ  通信インターフェース部
２９ｄ  印字部
３０、３０ａ  貨幣入出金機
３２    紙幣処理装置
３２ａ  収納繰出部
３２ｂ  紙幣処理部
３２ｃ  カセット装着部
３２ｄ  リーダライタ
３２ｅ  バーコードリーダ
３４    硬貨処理装置
３４ａ  収納繰出部
３４ｂ  硬貨処理部
３６    包装硬貨収納装置
３６ａ  ロック機構
３８    制御部
３９ａ  操作表示部
３９ｂ  記憶部
３９ｃ  通信インターフェース部
３９ｄ  印字部
４０    収納カセット
４０ａ  開口
４２    記憶媒体
４４    識別用媒体
５０    用途決定手段
６０    ＰＯＳレジスタ
【図１】
2019008463.tif 000003
【図２】
2019008463.tif 000004
【図３】
2019008463.tif 000005
【図４】
2019008463.tif 000006
【図５】
2019008463.tif 000007
【図６】
2019008463.tif 000008
【図７】
2019008463.tif 000009
【図８】
2019008463.tif 000010
【図９】
2019008463.tif 000011
【図１０】
2019008463.tif 000012
【図１１】
2019008463.tif 000013